(57)【要約】      （修正有）【課題】ユーザに応じて排紙台に排紙される印刷用紙を混在させるか否かを適切に判定する印刷装置を提供する。【解決手段】排紙台に排紙された印刷用紙に対応するユーザＩＤを履歴データとして記憶する記憶部と、排紙台に排紙された印刷用紙を検出する用紙有無センサ３８３，３８４と、印刷ジョブを受信したときに、用紙有無センサ３８３，３８４により印刷用紙が検出されている場合、履歴データに基づいて、受信した印刷ジョブの印刷設定情報に含まれるユーザＩＤと、排紙台に排紙された印刷用紙に対応するユーザＩＤとが同一の場合に混在可と判定する判定部１０１と、混在可であると判定された場合、印刷処理を実行して排紙台に印刷用紙を排紙させ、判定部１０１により混在不可であると判定された場合、用紙有無センサにより印刷用紙が検出されなくなるまで排紙台に排紙された印刷用紙を取り除くよう報知する制御部１０２とを備える。【選択図】図２
2015123579.tif 000002
【特許請求の範囲】
【請求項１】
ユーザＩＤを含む印刷ジョブに基づいて印刷処理を実行し、印刷された印刷用紙を排紙台に排紙する印刷装置であって、
前記排紙台に排紙された印刷用紙に対応するユーザＩＤを履歴データとして記憶する履歴データ記憶手段と、
前記排紙台に排紙された印刷用紙を検出する検出手段と、
前記印刷ジョブを受信したときに、前記検出手段により印刷用紙が検出されている場合、前記履歴データに基づいて、前記受信した印刷ジョブに含まれるユーザＩＤと、前記排紙台に排紙された印刷用紙に対応するユーザＩＤとが同一の場合に混在可と判定する判定手段と、
前記判定手段により混在可であると判定された場合、印刷処理を実行して前記排紙台に印刷用紙を排紙させ、前記判定手段により混在不可であると判定された場合、前記検出手段により印刷用紙が検出されなくなるまで前記排紙台に排紙された印刷用紙を取り除くよう報知する制御手段と、
を備えたことを特徴とする印刷装置。
【請求項２】
前記印刷ジョブには、ユーザＩＤ、印刷用紙のサイズおよび用紙種類を含む印刷設定情報が含まれており、
前記履歴データは、さらに、前記排紙台に排紙された印刷用紙のサイズと用紙種類とを含み、
前記判定手段は、
前記印刷ジョブを受信したときに、前記検出手段により印刷用紙が検出されている場合において、前記履歴データに基づいて前記受信した印刷ジョブの印刷設定情報に含まれるユーザＩＤと前記排紙台に排紙された印刷用紙に対応するユーザＩＤとが同一ではないと判定し、かつ、前記受信した印刷ジョブの用紙サイズと前記排紙台に排紙された印刷用紙の用紙サイズとが同一ではない、または、前記受信した印刷ジョブの用紙種類と前記排紙台に排紙された印刷用紙の用紙種類とが同一ではない場合、混在可と判定する
ことを特徴とする請求項１記載の印刷装置。
【請求項３】
前記印刷ジョブには、ユーザＩＤを含む印刷設定情報が含まれており、
前記履歴データ記憶手段には、前記履歴データとして、前記排紙台に排紙された印刷用紙に対応する印刷設定情報が記憶され、
前記排紙台に印刷用紙が排紙された後、前記検出手段により印刷用紙が検出から非検出に変わった場合、印刷用紙の混合の適否を問い合わせる画面を表示し、ユーザ入力による前記混合の適否の問い合わせに対する回答に基づいて、前記受信した印刷ジョブの印刷設定情報と、前記排紙台に排紙された印刷用紙に対応する印刷設定情報との比較結果を示す印刷設定比較結果情報と、印刷用紙の混合に対する適否の結果とを、ユーザと関連づけて、ユーザ特性データとして生成するユーザ特性データ生成手段と、
前記ユーザ特性データ生成手段により生成されたユーザ特性データを記憶するユーザ特性データ記憶手段と、を備え、
前記判定手段は、前記ユーザ特性データ記憶手段にユーザ特性データが記憶された後に、前記印刷ジョブを受信したときに、前記検出手段により印刷用紙が検出されている場合、前記履歴データ記憶手段に記憶された履歴データと、前記ユーザ特性データ記憶手段に記憶されたユーザ特性データとに基づいて、前記受信した印刷ジョブの印刷設定情報に含まれるユーザＩＤと、前記排紙台に排紙された印刷用紙に対応するユーザＩＤとが同一であり、かつ、前記受信した印刷ジョブの印刷設定情報と、前記排紙台に排紙された印刷用紙に対応する印刷設定情報との比較結果が、前記ユーザＩＤに対応するユーザ特性データの印刷結果比較情報に一致する場合に、前記印刷結果比較情報に対応する印刷用紙の混合の適合結果に基づいて混合の適否を判定する
ことを特徴とする請求項２記載の印刷装置。
【発明の詳細な説明】
【技術分野】
【０００１】
本発明は、ユーザに応じて排紙台に排紙される印刷用紙を混在させるか否かを適切に判定する印刷装置に関する。
【背景技術】
【０００２】
近年、オフィスでは、複数のコンピュータと印刷装置とをネットワークを介して接続し、複数のコンピュータ間で印刷装置を共有することが多くなっている。
【０００３】
そのため、複数のコンピュータから印刷ジョブが送信され、印刷装置が受信した複数の印刷ジョブに基づいて印刷処理を実行し、複数の印刷ジョブに基づいて印刷した印刷用紙を１つの排紙台に排紙される場合がある。
【０００４】
例えば、あるユーザが要求した印刷ジョブに基づいて印刷された印刷用紙が１つの排紙台に排紙された後、他の印刷ジョブに基づいて印刷された印刷用紙が同じ排紙台に排紙されると、印刷用紙が混在してしまうので、ユーザは該当の印刷ジョブに対応する印刷用紙を探すのに手間がかかるという問題があった。
【０００５】
特許文献１には、あるユーザ宛ての印刷用紙が任意のビン（排紙台）に残存している状態で、同一のビンを排出先とする印刷ジョブを処理しようとする場合、この印刷ジョブを処理してユーザに出力完了通知を送信する前に、同一のビンに印刷用紙が残存したままのユーザに対して出力完了通知を送信し、ビンが空になるか、所定時間が経過するまで印刷ジョブの処理を禁止する画像形成装置に関する技術が提案されている。
【先行技術文献】
【特許文献】
【０００６】
【特許文献１】特開２００１−１２２５０１号公報
【発明の概要】
【発明が解決しようとする課題】
【０００７】
特許文献１に記載の画像形成装置では、同一のビンに印刷用紙が残存したままのユーザに対して出力完了通知を送信し、ビンが空になるか、所定時間が経過するまで印刷ジョブの処理を禁止するので、ビン（排紙台）に残存している印刷用紙のユーザと印刷ジョブのユーザが同一か否かにかかわらず、ビンが空になるか、所定時間が経過するまで、印刷ジョブの処理を実行することができなかった。
【０００８】
しかしながら、排紙台に印刷用紙が残っている場合であっても、排紙台に残っている印刷用紙のユーザと、これから実行する印刷ジョブのユーザとが同一である場合には、ユーザは排紙台に排出された印刷用紙をまとめて取り出したいと考える。このような場合には、異なる印刷ジョブの印刷用紙であっても混在が許容される。
【０００９】
本発明は、上記課題に鑑みてなされたものであり、ユーザに応じて排紙台に排紙される印刷用紙を混在させるか否かを適切に判定する印刷装置を提供することを目的とする。
【課題を解決するための手段】
【００１０】
上記目的を達成するため、本発明に係る印刷装置の第１の特徴は、ユーザＩＤを含む印刷ジョブに基づいて印刷処理を実行し、印刷された印刷用紙を排紙台に排紙する印刷装置であって、前記排紙台に排紙された印刷用紙に対応するユーザＩＤを履歴データとして記憶する履歴データ記憶手段と、前記排紙台に排紙された印刷用紙を検出する検出手段と、前記印刷ジョブを受信したときに、前記検出手段により印刷用紙が検出されている場合、前記履歴データに基づいて、前記受信した印刷ジョブに含まれるユーザＩＤと、前記排紙台に排紙された印刷用紙に対応するユーザＩＤとが同一の場合に混在可と判定する判定手段と、前記判定手段により混在可であると判定された場合、印刷処理を実行して前記排紙台に印刷用紙を排紙させ、前記判定手段により混在不可であると判定された場合、前記検出手段により印刷用紙が検出されなくなるまで前記排紙台に排紙された印刷用紙を取り除くよう報知する制御手段と、を備えたことにある。
【００１１】
本発明に係る印刷装置の第２の特徴は、履歴データは、前記印刷ジョブには、ユーザＩＤ、印刷用紙のサイズおよび用紙種類を含む印刷設定情報が含まれており、前記履歴データは、さらに、前記排紙台に排紙された印刷用紙のサイズと用紙種類とを含み、前記判定手段は、前記印刷ジョブを受信したときに、前記検出手段により印刷用紙が検出されている場合において、前記履歴データに基づいて前記受信した印刷ジョブの印刷設定情報に含まれるユーザＩＤと前記排紙台に排紙された印刷用紙に対応するユーザＩＤとが同一ではないと判定し、かつ、前記受信した印刷ジョブの用紙サイズと前記排紙台に排紙された印刷用紙の用紙サイズとが同一ではない、または、前記受信した印刷ジョブの用紙種類と前記排紙台に排紙された印刷用紙の用紙種類とが同一ではない場合、混在可と判定することにある。
【００１２】
本発明に係る印刷装置の第３の特徴は、前記印刷ジョブには、ユーザＩＤを含む印刷設定情報が含まれており、前記履歴データ記憶手段には、前記履歴データとして、前記排紙台に排紙された印刷用紙に対応する印刷設定情報が記憶され、前記排紙台に印刷用紙が排紙された後、前記検出手段により印刷用紙が検出から非検出に変わった場合、印刷用紙の混合の適否を問い合わせる画面を表示し、ユーザ入力による前記混合の適否の問い合わせに対する回答に基づいて、前記受信した印刷ジョブの印刷設定情報と、前記排紙台に排紙された印刷用紙に対応する印刷設定情報との比較結果を示す印刷設定比較結果情報と、印刷用紙の混合に対する適否の結果とを、ユーザと関連づけて、ユーザ特性データとして生成するユーザ特性データ生成手段と、前記ユーザ特性データ生成手段により生成されたユーザ特性データを記憶するユーザ特性データ記憶手段と、を備え、前記判定手段は、前記ユーザ特性データ記憶手段にユーザ特性データが記憶された後に、前記印刷ジョブを受信したときに、前記検出手段により印刷用紙が検出されている場合、前記履歴データ記憶手段に記憶された履歴データと、前記ユーザ特性データ記憶手段に記憶されたユーザ特性データとに基づいて、前記受信した印刷ジョブの印刷設定情報に含まれるユーザＩＤと、前記排紙台に排紙された印刷用紙に対応するユーザＩＤとが同一であり、かつ、前記受信した印刷ジョブの印刷設定情報と、前記排紙台に排紙された印刷用紙に対応する印刷設定情報との比較結果が、前記ユーザＩＤに対応するユーザ特性データの印刷結果比較情報に一致する場合に、前記印刷結果比較情報に対応する印刷用紙の混合の適合結果に基づいて混合の適否を判定することにある。
【発明の効果】
【００１３】
本発明に係る印刷装置の第１の特徴によれば、判定手段は、印刷ジョブを受信したときに、検出手段により印刷用紙が検出されている場合、履歴データに基づいて、受信した印刷ジョブの印刷設定に含まれるユーザＩＤと、排紙台に排紙された印刷用紙に対応するユーザＩＤとが同一の場合に混在可と判定し、制御手段は、判定手段により混在可であると判定された場合、印刷処理を実行して排紙台に印刷用紙を排紙させ、判定手段により混在不可であると判定された場合、検出手段により印刷用紙が検出されなくなるまで排紙台に排紙された印刷用紙を取り除くよう報知する。
【００１４】
これにより、排紙台に印刷用紙が残っている場合であっても、排紙台に残っている印刷用紙のユーザと、これから実行する印刷ジョブのユーザとが同一である場合には、ユーザは排紙台に排出された印刷用紙をまとめて取り出したいと考えることが想定されるので、このような場合、異なる印刷ジョブの印刷用紙であっても混在が許容されることになる。一方で、排紙台に残っている印刷用紙のユーザと、これから実行する印刷ジョブのユーザとが異なる場合には、混在させたくないと考えることが想定されるので、排紙台の印刷用紙が取り除かれるまで印刷用紙を取り除くよう報知される。そのため、ユーザに応じて排紙台に排紙される印刷用紙を混在させるか否か適切に判定することができる。
【００１５】
本発明に係る印刷装置の第２の特徴によれば、判定手段は、印刷ジョブを受信したときに、検出手段により印刷用紙が検出されている場合において、履歴データに基づいて受信した印刷ジョブの印刷設定情報に含まれるユーザＩＤと排紙台に排紙された印刷用紙に対応するユーザＩＤとが同一ではないと判定し、かつ、受信した印刷ジョブの用紙サイズと排紙台に排紙された印刷用紙の用紙サイズとが同一ではない、または、受信した印刷ジョブの用紙種類と排紙台に排紙された印刷用紙の用紙種類とが同一ではない場合、混在可と判定するので、排紙台に残っている印刷用紙のユーザと、これから実行する印刷ジョブのユーザとが異なる場合において、異なるユーザの印刷用紙が混在されて出力されることになるが、混在されたとしてもユーザがすぐに自身の印刷用紙を見分けることができる。
【００１６】
本発明に係る印刷装置の第３の特徴によれば、判定手段は、前記ユーザ特性データ記憶手段にユーザ特性データが記憶された後に、印刷ジョブを受信したときに、検出手段により印刷用紙が検出されている場合、履歴データ記憶手段に記憶された履歴データと、ユーザ特性データ記憶手段に記憶されたユーザ特性データとに基づいて、受信した印刷ジョブの印刷設定情報に含まれるユーザＩＤと、排紙台に排紙された印刷用紙に対応するユーザＩＤとが同一であり、かつ、受信した印刷ジョブの印刷設定情報と、排紙台に排紙された印刷用紙に対応する印刷設定情報との比較結果が、ユーザＩＤに対応するユーザ特性データの印刷結果比較情報に一致する場合に、印刷結果比較情報に対応する印刷用紙の混合の適合結果に基づいて混合の適否を判定するので、例えば、用紙サイズや用紙種類により、混在させたいユーザや混在させたくないユーザがいたとしても、このユーザ両方に応じた適切な混在を実現することができる。
【図面の簡単な説明】
【００１７】
【図１】本発明の実施例である印刷装置の構成を示した図である。
【図２】本発明の実施例である印刷装置の機能構成を示す機能構成図である。
【図３】本発明の実施例である印刷装置における処理手順を示したフローチャートである。
【図４】本発明の実施例である印刷装置が備える表示部に表示された混在確認画面の一例である。
【図５】本発明の実施例である印刷装置が備える表示部に表示された印刷用紙取り出し画面の一例である。
【図６】本発明の実施例である印刷装置が備える表示部に表示された印刷用紙混合の適正確認画面の一例である。
【図７】本発明の実施例である印刷装置において図３に示したフローチャートにおけるステップＳ１５０の混在判定処理の詳細な処理手順を示したフローチャートである。
【図８】本発明の実施例である印刷装置において図３に示したフローチャートにおけるステップＳ１５０の混在判定処理の変形例の詳細な処理手順を示したフローチャートである。
【図９】本発明の実施例である印刷装置が備える記憶部に記憶されたユーザ特性データの一例を示した図である。
【発明を実施するための形態】
【００１８】
本発明の実施例について図面を参照して説明する。
【００１９】
＜本発明の実施例である印刷装置の構成＞
図１は、本発明の実施例である印刷装置の構成を示した図である。
【００２０】
図１に示すように印刷装置１０は、印刷用紙の供給を行なう給紙機構として、筐体側面の外部に露出したサイド給紙台３２０と、筐体内部に設けられた複数の給紙トレイ（３３０ａ、３３０ｂ、３３０ｃ、３３０ｄ）とを備えている。また、印刷済の印刷用紙を排出する排紙機構として小容量フェイスダウン排紙口３４０と大容量フェイスアップ排紙口３６０とを備えている。小容量フェイスダウン排紙口３４０から排紙された印刷用紙は排紙台３５０に積載され、大容量フェイスアップ排紙口３６０から排紙された印刷用紙は排紙台３６２に積載される。
【００２１】
印刷装置１０は、印字機構として、用紙搬送方向に直交する方向に伸び、多数のノズルが形成された印字ヘッドを含むヘッドユニット３１０を複数本備え、それぞれの印字ヘッドから黒またはカラーインクを吐出してライン単位で印刷を行なうインクジェット方式のラインカラープリンタである。ただし、ライン方向に走査して画像形成を行なうシリアルカラープリンタとしてもよい。また、他の印字方式、例えば、レーザ方式等を採用してもよい。
【００２２】
サイド給紙台３２０および給紙トレイ３３０のいずれかの給紙機構から１枚ずつ給紙された印刷用紙は、ローラ等の駆動機構によって筐体内の給紙系搬送路（図中の黒太線で示される経路）に沿って搬送され、レジスト部Ｒｇに導かれる。ここでレジスト部Ｒｇは、印刷用紙の先端の位置あわせと斜行修正を行なうために設けられており、１対のレジストローラを備えて構成される。給紙された印刷用紙はレジスト部Ｒｇで一時停止し、所定のタイミングで印字機構方向に搬送される。
【００２３】
レジスト部Ｒｇのさらに搬送方向側には、複数本のヘッドユニット３１０が設けられている。印刷用紙は、ヘッドユニット３１０の対向面に設けられた環状の搬送ベルト３５２によって印刷条件により定められる速度で搬送されながら、各ヘッドユニット３１０に備えられた印字ヘッドから吐出されたインクによりライン単位で画像形成される。
【００２４】
上面に印刷を施された印刷用紙は、大容量フェイスアップ排紙口３６０から排紙される場合は、切替機構３７２により大容量フェイスアップ排紙口３６０方向に搬送され、そのまま印刷面を上にして排紙されて排紙台３６２に積載されていく。小容量フェイスダウン排紙口３４０から排紙される場合、切替機構３７２とローラ等の駆動機構によってさらに筐体内を搬送される。そして、切替機構３７０により小容量フェイスダウン排紙口３４０に導かれて排紙され、小容量フェイスダウン排紙口３４０の受台として設けられた排紙台３５０に印刷面を下にして積載されていく。
【００２５】
排紙台３５０は、筐体から突出したトレイ形状をしており、ある程度の厚みを有している。排紙台３５０は傾斜しており、傾斜の下位置に形成された壁により、小容量フェイスダウン排紙口３４０から排紙され、傾斜に沿って滑落する印刷用紙が自然に整えられて重なっていくようになっている。
【００２６】
排紙台３５０の底面には、排紙台３５０に積載された印刷用紙が全て取り除かれたことを検出する用紙有無センサ３８３が設けられており、排紙台３６２の底面には、排紙台３６２に積載された印刷用紙が全て取り除かれたことを検出する用紙有無センサ３８４が設けられている。
【００２７】
印刷用紙の両面に印刷を行なう両面印刷の場合は、表面（最初に印刷される面を「表面」、次に印刷される面を「裏面」とする）印刷終了時には排紙台３５０および排紙台３６２に導かれずに、切替機構３７０により、さらに筐体内を搬送される。そして、スイッチバック経路ＳＲに引き込まれ、スイッチバックを行ない、搬送路に対して表裏が反転する。表裏反転後に、ローラ等の駆動機構によって再度レジスト部Ｒｇに導かれ、一時停止する。その後、所定のタイミングで印字機構方向に搬送され、表面と同様の手順によって裏面の印刷が行なわれる。裏面の印刷が行なわれ、両面に画像が形成された印刷用紙は、印刷条件に含まれる排紙口の指定にしたがって、小容量フェイスダウン排紙口３４０あるいは大容量フェイスアップ排紙口３６０に導かれて排紙され、排紙台３５０あるいは排紙台３６２に積載されていく。
【００２８】
図２は、本発明の実施例である印刷装置１０の機能構成を示す機能構成図である。
【００２９】
図２に示すように、印刷装置１０は、中枢的な制御を行うメイン制御部１００と、操作パネル等を介して、印刷設定等を受け付ける操作受付部１１０、印刷装置に関する情報を表示する表示部１２０、コンピュータネットワーク等に接続するための通信処理部１３０と、用紙有無センサ３８３，３８４とを備えている。これらの構成のうち、用紙有無センサ３８３，３８４については、上述したので、説明を省略する。
【００３０】
また、印刷装置１０は、印刷実行部１４０と、記憶部１５０とを備えている。
【００３１】
印刷実行部１４０は、通信処理部１３０を介して図示しないホストコンピュータから受信した印刷ジョブに基づいて、搬送される印刷用紙に対して、ヘッドユニット３１０に備えられた印字ヘッドから黒またはカラーインクを吐出してライン単位で印刷を行い、大容量フェイスアップ排紙口３６０から排紙し排紙台３６２に積載するか、小容量フェイスダウン排紙口３４０から排紙し排紙台３５０に積載するように制御する。
【００３２】
記憶部１５０は、例えば、ハードディスクドライブで構成されており、履歴データ１５０ａと、ユーザ特性データ１５０ｂとを記憶している。
【００３３】
履歴データ１５０ａは、排紙台３５０，３６２に排紙された印刷用紙に対応する印刷設定情報を履歴データとして記憶する。
【００３４】
ユーザ特性データ１５０ｂは、後述するユーザ特性データ生成部１０３により生成されたユーザ特性データを記憶する。
【００３５】
また、メイン制御部１００は、その機能上、図示しない制御プログラムを実行することにより、判定部１０１と、制御部１０２と、ユーザ特性データ生成部１０３とを実装する。
【００３６】
判定部１０１は、印刷ジョブを受信したときに、用紙有無センサ３８３または用紙有無センサ３８４により印刷用紙が検出されている場合、履歴データに基づいて、受信した印刷ジョブの印刷設定情報に含まれるユーザＩＤと、排紙台に排紙された印刷用紙に対応するユーザＩＤとが同一の場合に混在可と判定する。
【００３７】
制御部１０２は、判定部１０１により混在可であると判定された場合、印刷処理を実行して排紙台に印刷用紙を排紙させ、判定部１０１により混在不可であると判定された場合、用紙有無センサ３８３または用紙有無センサ３８４により印刷用紙が検出されなくなるまで排紙台に排紙された印刷用紙を取り除くよう報知する。ここでは、表示部１２０にメッセージを表示させる。
【００３８】
ユーザ特性データ生成部１０３は、排紙台に印刷用紙が排紙された後、用紙有無センサ３８３または用紙有無センサ３８４により印刷用紙が検出されなくなった場合、印刷用紙の混合の適否（混合させても問題ないか）を問い合わせる画面を表示し、ユーザ入力による混合の適否の問い合わせに対する回答に基づいて、ユーザ毎に、受信した印刷ジョブの印刷設定情報と排紙台に排紙された印刷用紙に対応する印刷設定情報との比較結果を示す印刷設定比較結果情報と、印刷用紙の混合に対する適否の結果とを関連づけて、ユーザ特性データとして生成する。
【００３９】
＜印刷装置１０の作用＞
次に、本発明の実施例である印刷装置１０における作用について説明する。
【００４０】
図３は、本発明の実施例である印刷装置１０における処理手順を示したフローチャートである。
【００４１】
図３に示すように、印刷装置１０のメイン制御部１００は、ホストコンピュータから通信処理部１３０を介して印刷ジョブを受信した否かを判定する（ステップＳ１１０）。ホストコンピュータから送られる印刷ジョブには、印刷設定情報として排紙台を指定する情報が含まれている。例えば、排紙台として排紙台３６２が指定されている場合は、ページの逆順に画像データに基づいて印刷されて、大容量フェイスアップ排紙口３６０から排紙台３６２へ排紙される。これらの排紙台の指定および画像データのページ順の管理は、ホストコンピュータにインストールされた印刷装置１０に対応したプリンタドライバにより行なわれる。
【００４２】
ステップＳ１１０において、印刷ジョブを受信したと判定された場合（ステップＳ１１０；ＹＥＳ）、排紙台３６２または排紙台３５０のうち、印刷ジョブの印刷設定情報で指定される排紙台に印刷用紙があるか否かを判定する（ステップＳ１３０）。具体的には、メイン制御部１００の判定部１０１は、用紙有無センサ３８３または用紙有無センサ３８４のうち、印刷ジョブの印刷設定情報で指定される排紙台に対応する用紙有無センサにより排紙台に載置された印刷用紙の有無を検出する。
【００４３】
ステップＳ１３０において、印刷ジョブの印刷設定情報で指定される排紙台に印刷用紙がないと判定された場合（ステップＳ１３０；ＮＯ）、排紙台に排紙されても、印刷用紙が混在することにはならないので、そのまま出力させる（ステップＳ２７０）。これにより、印刷処理が実行されて、印刷ジョブの印刷設定情報で指定される排紙台に印刷用紙が排紙される。
【００４４】
一方、ステップＳ１３０において、印刷ジョブの印刷設定情報で指定される排紙台に印刷用紙があると判定された場合（ステップＳ１３０；ＹＥＳ）、メイン制御部１００は、混在判定処理を実行する（ステップＳ１５０）。なお、この混在判定処理の詳細については、図７を用いて後述する。
【００４５】
そして、ステップＳ１５０の混在判定処理の結果により、混在不可と判定された場合（ステップＳ１７０；ＮＯ）、メイン制御部１００は、表示部１２０に、混在出力していいかを問い合わせる混在確認画面を表示させる（ステップＳ１９０）。
【００４６】
図４は、本発明の実施例である印刷装置１０が備える表示部１２０に表示された混在確認画面の一例である。
【００４７】
図４に示すように、表示部１２０に表示された混在確認画面１２１には、例えば、「排紙台に印刷用紙があります。混在してもいいですか？」というようなメッセージ１２１ａが表示されるとともに、ＯＫボタン１２１ｂと、ＮＧボタン１２１ｃとが表示される。
【００４８】
そして、ユーザが、この表示部１２０に表示された混在確認画面１２１を見ながら、ＯＫボタン１２１ｂを押下操作すると（ステップＳ２１０；ＹＥＳ）、ユーザは、排紙台に印刷用紙があるのを承知の上で混在を許容するということであるので、メイン制御部１００は、印刷用紙を混在させて出力させる（ステップＳ２９０）。これにより、今回受信した印刷ジョブに基づいて印刷処理が実行された後、印刷ジョブの印刷設定情報で指定される排紙台において、先に印刷され排紙台に載置されている印刷用紙の上に、今回の印刷ジョブに基づいて印刷用紙が排紙される。
【００４９】
一方、ユーザが、この表示部１２０に表示された混在確認画面１２１を見ながら、ＮＧボタン１２１ｃを押下操作すると（ステップＳ２１０；ＮＯ）、メイン制御部１００は、表示部１２０に、排紙台の印刷用紙の取り出しを促す印刷用紙取り出し画面を表示させる（ステップＳ２３０）。
【００５０】
図５は、本発明の実施例である印刷装置１０が備える表示部１２０に表示された印刷用紙取り出し画面の一例である。
【００５１】
図５に示すように、表示部１２０に表示された印刷用紙取り出しメッセージ画面１２２には、例えば、「排紙台の印刷用紙を取り出してください。」というようなメッセージ１２２ａが表示されるとともに、ＯＫボタン１２２ｂと、ＮＧボタン１２２ｃとが表示される。
【００５２】
そして、ユーザが、この表示部１２０に表示された印刷用紙取り出しメッセージ画面１２２を見ながら、ＯＫボタン１２２ｂを押下操作すると、印刷用紙取り出しメッセージ画面１２２は消去され、メイン制御部１００の判定部１０１は、用紙有無センサ３８３または用紙有無センサ３８４のうち、印刷ジョブの印刷設定情報で指定される排紙台に対応する用紙有無センサの検出がオフになったか、すなわち、排紙台から印刷用紙が取り除かれたか否かを判定する（ステップＳ２５０）。
【００５３】
ステップＳ２５０において、用紙有無センサの検出がオフになったと判定された場合（ステップＳ２５０；ＹＥＳ）、排紙台の印刷用紙が取り除かれ、新たに排紙台に排紙されても、印刷用紙が混在することにはならないので、そのまま出力させる（ステップＳ２７０）。
【００５４】
そして、ステップＳ２７０またはステップＳ２９０において、出力された後、メイン制御部１００の判定部１０１は、用紙有無センサ３８３または用紙有無センサ３８４のうち、印刷ジョブの印刷設定情報で指定される排紙台に対応する用紙有無センサの検出がオフになったか、すなわち、排紙台から印刷用紙が取り除かれたか否かを判定する（ステップＳ３１０）。
【００５５】
ステップＳ３１０において、オフになっていないと判定された場合（ステップＳ３１０；ＮＯ）、排紙台から印刷用紙が取り除かれていないということなので、メイン制御部１００は、表示部１２０に、図５に示したような、排紙台の印刷用紙の取り出しを促す印刷用紙取り出し画面を表示させる（ステップＳ３３０）。
【００５６】
そして、メイン制御部１００は、印刷用紙取り出し画面を表示させた時点からの経過時間が所定時間を超えたか否かを判定する（ステップＳ３５０）。ステップＳ３５０において、所定時間を超えていないと判定された場合（ステップＳ３５０；ＮＯ）、処理をステップＳ３１０に移行するので、ステップＳ３１０、Ｓ３３０、Ｓ３５０の処理を繰り返し実行することになる。これにより、印刷ジョブの印刷設定情報で指定される排紙台に対応する用紙有無センサの検出がオフになったか、または印刷用紙取り出し画面を表示させた時点からの経過時間が所定時間を超えるまで、印刷用紙取り出し画面を表示し続けることになる。
【００５７】
ステップＳ３５０において、印刷用紙取り出し画面を表示させた時点からの経過時間が所定時間を超えたと判定された場合（ステップＳ３５０；ＹＥＳ）、メイン制御部１００は、表示部１２０から、印刷用紙取り出し画面を消去する（ステップＳ３７０）。この場合には、印刷ジョブに対応する排出済みの印刷用紙は、取りに来る意思がないものとして、排紙台に放置されるか、または、管理者が強制的に取り出すようにしてもよい。
【００５８】
一方、ステップＳ３１０において、オフになったと判定された場合（ステップＳ３１０；ＹＥＳ）、排紙台から印刷用紙が取り除かれたということなので、メイン制御部１００は、記憶部１５０に記憶されている履歴データ１５０ａを消去する（ステップＳ３９０）。
【００５９】
次に、メイン制御部１００は、表示部１２０に、混合の適正を問い合わせる印刷用紙混合の適正確認画面を表示する（ステップＳ４１０）。
【００６０】
図６は、本発明の実施例である印刷装置１０が備える表示部１２０に表示された印刷用紙混合の適正確認画面の一例である。
【００６１】
図６に示すように、表示部１２０に表示された印刷用紙混合の適正確認画面１２３には、例えば、「印刷用紙が混合されて排紙されました。混合して排紙されて問題ありませんでしたか？」というようなメッセージ１２３ａが表示されるとともに、問題ありボタン１２３ｂと、問題なしボタン１２３ｃとが表示される。
【００６２】
そして、ユーザ操作により、問題ありボタン１２３ｂまたは問題なしボタン１２３ｃいずれかが押下操作されると、ユーザにより回答されたと判定し（ステップＳ４３０；ＹＥＳ）、メイン制御部１００は、記憶部１５０に記憶されたユーザ特性データ１５０ｂを更新する（ステップＳ４５０）。
【００６３】
＜混在判定処理＞
次に、図３に示したフローチャートにおけるステップＳ１５０の混在判定処理の詳細な処理手順について説明する。
【００６４】
図７は、本発明の実施例である印刷装置１０において図３に示したフローチャートにおけるステップＳ１５０の混在判定処理の詳細な処理手順を示したフローチャートである。
【００６５】
図７に示すように、メイン制御部１００の判定部１０１は、記憶部１５０に記憶された履歴データ１５０ａに基づいて、受信した印刷ジョブの印刷設定情報に含まれるユーザＩＤと、印刷ジョブの印刷設定情報で指定される排紙台に排紙された印刷用紙に対応するユーザＩＤとが同一か否かを判定する（ステップＳ１５１）。
【００６６】
ステップＳ１５１において、ユーザＩＤが同一であると判定された場合（ステップＳ１５１；ＹＥＳ）、判定部１０１は、混在可と判定する（ステップＳ１５３）。
【００６７】
一方、ステップＳ１５１において、ユーザＩＤが同一ではないと判定された場合（ステップＳ１５１；ＮＯ）、異なるユーザの印刷用紙が混在されて出力されることになるが、混在されたとしてもユーザがすぐに自身の印刷用紙を見分けることができるのであれば、混在させても問題が生じ難い。
【００６８】
そこで、判定部１０１は、記憶部１５０に記憶された履歴データ１５０ａに基づいて、受信した印刷ジョブの印刷設定情報に含まれる用紙サイズと、印刷ジョブの印刷設定情報で指定される排紙台に排紙された印刷用紙の用紙サイズとが同一か否かを判定する（ステップＳ１５５）。
【００６９】
ステップＳ１５５において、用紙サイズが異なると判定された場合（ステップＳ１５５；ＮＯ）、混在されたとしてもユーザがすぐに自身の印刷用紙を見分けることができるので、判定部１０１は、混在可と判定する（ステップＳ１５３）。
【００７０】
一方、ステップＳ１５５において、用紙サイズが同一と判定された場合（ステップＳ１５５；ＹＥＳ）、判定部１０１は、記憶部１５０に記憶された履歴データ１５０ａに基づいて、受信した印刷ジョブの印刷設定情報に含まれる用紙種類と、印刷ジョブの印刷設定情報で指定される排紙台に排紙された印刷用紙の用紙種類とが同一か否かを判定する（ステップＳ１５７）。
【００７１】
ステップＳ１５７において、用紙種類が異なると判定された場合（ステップＳ１５５；ＮＯ）、混在されたとしてもユーザがすぐに自身の印刷用紙を見分けることができるので、判定部１０１は、混在可と判定する（ステップＳ１５３）。
【００７２】
一方、ステップＳ１５７において、用紙種類が同一であると判定された場合（ステップＳ１５５；ＹＥＳ）、用紙サイズも用紙種類も同一であるので、混在されるとユーザはすぐに自身の印刷用紙を見分けることが困難である。そこで、判定部１０１は、混在不可と判定する（ステップＳ１５９）。
【００７３】
以上のように、本発明の実施例である印刷装置１０によれば、判定部１０１が、印刷ジョブを受信したときに、用紙有無センサにより印刷用紙が検出されている場合、履歴データに基づいて、受信した印刷ジョブの印刷設定情報に含まれるユーザＩＤと、排紙台に排紙された印刷用紙に対応するユーザＩＤとが同一の場合に混在可と判定し、制御部１０２が、判定部１０１により混在可であると判定された場合、印刷処理を実行して排紙台に印刷用紙を排紙させ、判定部１０１により混在不可であると判定された場合、用紙有無センサにより印刷用紙が検出されなくなるまで排紙台に排紙された印刷用紙を取り除くよう報知する。
【００７４】
これにより、排紙台に印刷用紙が残っている場合であっても、排紙台に残っている印刷用紙のユーザと、これから実行する印刷ジョブのユーザとが同一である場合には、ユーザは排紙台に排出された印刷用紙をまとめて取り出したいと考えることが想定されるので、このような場合、異なる印刷ジョブの印刷用紙であっても混在が許容されることになる。一方で、排紙台に残っている印刷用紙のユーザと、これから実行する印刷ジョブのユーザとが異なる場合には、混在させたくないと考えることが想定されるので、排紙台の印刷用紙が取り除かれるまで印刷用紙を取り除くよう報知される。そのため、本発明の実施例である印刷装置１０によれば、排紙台に排紙される印刷用紙を混在させるか否か適切に判定することができる。
【００７５】
＜混在判定処理の変形例＞
上記の混在判定処理においては、履歴データには、排紙台に排紙された印刷用紙のサイズと用紙種類とが含まれ、判定部１０１は、印刷ジョブを受信したときに、用紙有無センサにより印刷用紙が検出されている場合において、履歴データに基づいて、受信した印刷ジョブの印刷設定情報に含まれるユーザＩＤと排紙台に排紙された印刷用紙に対応するユーザＩＤとが同一である場合、混在可と判定した。
【００７６】
しかしながら、受信した印刷ジョブの印刷設定情報に含まれるユーザＩＤと排紙台に排紙された印刷用紙に対応するユーザＩＤとが同一である場合でも、ユーザによっては、混在したくないと考えることもあり得る。
【００７７】
そこで、混在判定処理の変形例では、ユーザ毎の印刷用紙の混合に対するユーザ特性データを記憶しておき、受信した印刷ジョブの印刷設定情報に含まれるユーザＩＤと、排紙台に排紙された印刷用紙に対応するユーザＩＤとが同一であり、かつ、受信した印刷ジョブの印刷設定情報と、排紙台に排紙された印刷用紙に対応する印刷設定情報との比較結果が、ユーザ特性データの印刷結果比較情報に一致する場合に、ユーザ特性データにおける印刷用紙の混合の適合結果に基づいて混合の適否を判定する。
【００７８】
図８は、本発明の実施例である印刷装置１０において図３に示したフローチャートにおけるステップＳ１５０の混在判定処理の変形例の詳細な処理手順を示したフローチャートである。なお、図８のフローチャートにおいて、図７に示したフローチャートと同一ステップ番号が付された処理は同一の処理内容であるので、説明を省略する。
【００７９】
図８に示すように、ステップＳ１５１において、ユーザＩＤが同一であると判定された場合（ステップＳ１５１；ＹＥＳ）、判定部１０１は、記憶部１５０に記憶されたユーザ特性データ１５０ｂを読み出す（ステップＳ１６１）。
【００８０】
図９は、本発明の実施例である印刷装置１０が備える記憶部１５０に記憶されたユーザ特性データ１５０ｂの一例を示した図である。
【００８１】
図９に示すように、記憶部１５０に記憶されたユーザ特性データ１５０ｂは、印刷ジョブを受信した日時１５０１と、ユーザＩＤ１５０２と、このユーザＩＤに対応するユーザ名１５０３と、用紙サイズが異なるか否かの判定結果１５０４と、用紙種類が異なるか否かの判定結果１５０５と、混在適否１５０６とが、関連付けられて記憶されている。なお、ユーザ特性データ１５０ｂは、図３のフローチャートに示したステップＳ４５０の処理において更新されるデータである。
【００８２】
用紙サイズが異なるか否かの判定結果１５０４は、判定部１０１により、記憶部１５０に記憶された履歴データ１５０ａに基づいて、受信した印刷ジョブの印刷設定情報に含まれる用紙サイズと、印刷ジョブの印刷設定情報で指定される排紙台に排紙された印刷用紙の用紙サイズとが同一か否かが判定された判定結果を示している。具体的には、用紙サイズが異なる場合、“○”が記憶され、用紙サイズが同一の場合、“×”が記憶されている。
【００８３】
用紙種類が異なるか否かの判定結果１５０５は、判定部１０１により、記憶部１５０に記憶された履歴データ１５０ａに基づいて、受信した印刷ジョブの印刷設定情報に含まれる用紙種類と、印刷ジョブの印刷設定情報で指定される排紙台に排紙された印刷用紙の用紙種類とが同一か否かが判定された比較判定結果を示している。具体的には、用紙種類が異なる場合、“○”が記憶され、用紙種類が同一の場合、“×”が記憶されている。この用紙サイズが異なるか否かの判定結果１５０４と、用紙種類が異なるか否かの判定結果１５０５とを、印刷結果比較情報という。
【００８４】
混在適否１５０６は、表示部１２０に表示された印刷用紙混合の適正確認画面１２３から、ユーザ操作により、問題ありボタン１２３ｂが押下操作された場合、“×”が記憶され、問題なしボタン１２３ｃいずれかが押下操作された場合、“○”が記憶される。
【００８５】
例えば、２０１３年１２月１日１８時００分１１秒に、ユーザＩＤ１５０２が“１２３４”であるユーザ名１５０３“理想太郎”である印刷ジョブでは、用紙サイズが異なるか否かの判定結果１５０４が“○”、用紙種類が異なるか否かの判定結果１５０５が“○”、混在適否１５０６が“○”として記憶されている。そのため、印刷設定情報に含まれる用紙サイズと、印刷ジョブの印刷設定情報で指定される排紙台に排紙された印刷用紙の用紙サイズとが異なり、かつ受信した印刷ジョブの印刷設定情報に含まれる用紙種類と、印刷ジョブの印刷設定情報で指定される排紙台に排紙された印刷用紙の用紙種類とが異なる場合に、ユーザ“理想太郎”は、混在しても可と判定していることになる。
【００８６】
同様に、２０１３年１２月２日０９時０５分１２秒に、ユーザ名１５０３“理想太郎”である印刷ジョブでは、用紙サイズが異なるか否かの判定結果１５０４が“×”、用紙種類が異なるか否かの判定結果１５０５が“○”、混在適否１５０６が“○”として記憶されており、２０１３年１２月３日１０時１５分２３秒に、ユーザ名１５０３“理想太郎”である印刷ジョブでは、用紙サイズが異なるか否かの判定結果１５０４が“○”、用紙種類が異なるか否かの判定結果１５０５が“×”、混在適否１５０６が“○”として記憶されている。
【００８７】
これにより、判定部１０１は、履歴データとユーザ特性データとに基づいて、受信した印刷ジョブの印刷設定情報と排紙台に排紙された印刷用紙に対応する印刷設定情報との比較結果が、ユーザ特性データの印刷結果比較情報に一致する場合に、この一致する印刷結果比較情報に対応する印刷用紙の混合の混在適否を判定する（ステップＳ１６３）。例えば、受信した印刷ジョブのユーザＩＤが“１２３４”であり、この受信した印刷ジョブの印刷設定情報に含まれる用紙サイズおよび用紙種類と、排紙台に排紙された印刷用紙に対応する印刷設定情報に含まれる用紙サイズおよび用紙種類とが共に異なる場合、判定部１０１は、記憶部１５０に記憶されたユーザ特性データから、同じ印刷結果比較情報のデータに対応する混在適否を抽出する。ここでは、判定部１０１は、ユーザ特性データに含まれる用紙サイズが異なるか否かの判定結果１５０４が“○”、用紙種類が異なるか否かの判定結果１５０５が“○”に対応する混在適否１５０６“○”を抽出し、混在が適切と判定する。
【００８８】
ステップＳ１６３において、混在が適切と判定された場合（ステップＳ１６３；ＹＥＳ）、判定部１０１は処理をステップＳ１５３に移行し、混在が不適切と判定された場合（ステップＳ１６３；ＮＯ）、判定部１０１は処理をステップＳ１５９に移行する。
【００８９】
以上のように、混在判定処理の変形例では、ユーザ毎の印刷用紙の混合に対するユーザ特性データを記憶しておき、受信した印刷ジョブの印刷設定情報に含まれるユーザＩＤと、排紙台に排紙された印刷用紙に対応するユーザＩＤとが同一であり、かつ、受信した印刷ジョブの印刷設定情報と排紙台に排紙された印刷用紙に対応する印刷設定情報との比較結果が、ユーザＩＤに対応するユーザ特性データの印刷結果比較情報に一致する場合に、ユーザ特性データにおける印刷用紙の混合の適合結果に基づいて混合の適否を判定するので、ユーサの特性に応じて適切に混合の適否を判定することができる。これにより、例えば、用紙サイズや用紙種類により、混在させたいユーザや混在させたくないユーザがいたとしても、このユーザ両方に応じた適切な混在を実現することができる。
【００９０】
なお、本発明の実施例である印刷装置１０では、混在確認画面、印刷用紙取り出し画面、印刷用紙混合の適正確認画面を、表示部１２０に表示させたが、これに限らず、通信処理部１３０を介して接続された印刷ジョブを送信したコンピュータの表示画面に、これらの画面を表示するようにしてもよい。
【符号の説明】
【００９１】
１０…印刷装置
１００…メイン制御部
１０１…判定部
１０２…制御部
１０３…ユーザ特性データ生成部
１１０…操作受付部
１２０…表示部
１３０…通信処理部
１４０…印刷実行部
１５０…記憶部（履歴データ記憶手段、ユーザ特性データ記憶手段）
１５０ａ…履歴データ
１５０ｂ…ユーザ特性データ
３１０…ヘッドユニット
３２０…サイド給紙台
３３０…給紙トレイ
３４０…小容量フェイスダウン排紙口
３５０，３６２…排紙台
３５２…搬送ベルト
３６０…大容量フェイスアップ排紙口
３８３，３８４…用紙有無センサ（検出手段）
【図１】
2015123579.tif 000003
【図２】
2015123579.tif 000004
【図３】
2015123579.tif 000005
【図４】
2015123579.tif 000006
【図５】
2015123579.tif 000007
【図６】
2015123579.tif 000008
【図７】
2015123579.tif 000009
【図８】
2015123579.tif 000010
【図９】
2015123579.tif 000011